(57)【要約】      （修正有）【課題】読影者が直感的に形態画像上での位置配置を理解しやすいフィルムへの画像シリーズの配置を実現し、操作者の負担軽減のため、形態画像上でのボクセル位置関係がそのままの形で、自動でフィルムへ画像シリーズの配置をすることが可能なMRI装置を提供する。【解決手段】被検体を収容する空間に均一な静磁場を発生させる静磁場発生手段と、静磁場へ重畳して傾斜磁場を発生させる傾斜磁場発生手段と、被検体へ照射する高周波磁場を発生する高周波コイルと、被検体から発生するNMR信号を検出する手段と、検出された信号を画像化する手段と、CSI撮像及び解析をするCSI撮像解析手段を備える。さらに、CSI撮像解析手段によりCSI撮像解析された各ボクセルの画像シリーズについて、各ボクセルの画像シリーズが位置関係そのままの形でフィルムに出力されるようにフィルムミングする手段を備える。【選択図】図１
2011010805.tif 000002
【特許請求の範囲】
【請求項１】
被検体を収容する空間に均一な静磁場を発生させる静磁場発生手段と、前記静磁場へ重畳して傾斜磁場を発生させる傾斜磁場発生手段と、前記被検体へ照射する高周波磁場を発生する高周波コイルと、前記被検体から発生するＮＭＲ信号を検出する手段と、前記検出された信号を画像化する手段と、ＣＳＩ撮像及び解析をするＣＳＩ撮像解析手段を備えた磁気共鳴イメージング装置であって、
前記ＣＳＩ撮像解析手段によりＣＳＩ撮像解析された各ボクセルの画像シリーズをそれらの位置関係を保有してフィルムに、フィルムミングするフィルミング手段を備えたことを特徴とする磁気共鳴イメージング装置。
【請求項２】
前記フィルミング手段によりフィルミングする際に、全ボクセルをフィルミングするために１枚のフィルムで不十分な場合には、フィルムを継ぎ足す手段を備えたことを特徴とする請求項１記載の磁気共鳴イメージング装置。
【請求項３】
被検体を収容する空間に均一な静磁場を発生させる静磁場発生ステップと、前記静磁場へ重畳して傾斜磁場を発生させる傾斜磁場発生ステップと、前記被検体へ照射する高周波磁場を発生するステップと、前記被検体から発生するＮＭＲ信号を検出するステップと、前記検出された信号を画像化するステップと、ＣＳＩ撮像及び解析をするステップを備えた磁気共鳴イメージング方法であって、
前記ＣＳＩ撮像解析手段によりＣＳＩ撮像解析された各ボクセルの画像シリーズをそれらの位置関係を保有してフィルムに、フィルムミングするフィルミングステップを備えたことを特徴とする磁気共鳴イメージング方法。
【請求項４】
前記フィルミングステップによりフィルミングする際に、全ボクセルをフィルミングするために１枚のフィルムで不十分な場合には、フィルムを継ぎ足すことを特徴とする請求項３記載の磁気共鳴イメージング方法。
【発明の詳細な説明】
【技術分野】
【０００１】
本発明は、磁気共鳴イメージング(以下、「MRI」という)装置に関し、特にマトリックス状に配置されたボクセルより得られたCSIによる画像シリーズのフィルムへの画像配置、または表示方法に関する。
【背景技術】
【０００２】
MRI装置は、被検体、特に人体の組織を構成する原子核スピンが発生するNMR信号を計測し、その頭部、腹部、四肢等の形態や機能を2次元的或いは3次元的に画像化する装置である。撮影においては、NMR信号には、傾斜磁場によって異なる位相エンコードが付与されるとともに周波数エンコードされて、時系列データとして計測される。計測されたNMR信号は、2次元又は3次元フーリエ変換されることにより画像に再構成され、撮影された画像は、MRI装置に併設されたフィルムイメージャを用いて、フィルムに出力され、保存される。
【０００３】
近年、形態画像以外の画像診断が注目されている。その代表的なものに、Chemical Shift Imaging(CSI)と呼ばれる代謝観察手法がある。CSIは、被検体上に配置された複数のボクセルより、代謝物情報を取得し、スペクトルや代謝物ごとの濃度分布像を形態画像上に表示して、異常部位を特定するために用いられる。CSI解析の結果得られる画像には、例えば3種類あり、形態画像上に表示することにより示した各ボクセル位置の参照画像、各ボクセルにおけるスペクトルグラフ、前記スペクトルのグラフより、各代謝物質成分を示したリスト等がある(図17)。
【先行技術文献】
【特許文献】
【０００４】
【特許文献１】特開2006−204400号公報。
【発明の概要】
【発明が解決しようとする課題】
【０００５】
特許文献1では、例えば図8において、例えばマルチスライス等で得られた複数の画像シリーズをフィルムに配置する手法を提案しているが、CSI解析結果のようなマトリックス状に配置されたボクセルの画像シリーズをフィルミングすることに関して、フィルムの見易さ、画像シリーズのフィルムへの配置の際の操作性に配慮がされていない。例えば、CSI析で形態画像(例えば脳画像)上に、2行3列の画像シリーズを生成したとする(図18)。
【０００６】
この画像シリーズを、形態画像上での位置関係とは無関係に、レイアウトが3行2列のフィルム上に左上から順に配置する(図19)。すると、形態画像上でのボクセルの配置と、フィルム上での画像シリーズのレイアウトが異なるために、読影者は、形態画像上での位置を想像しながら読影しなければならない。また、読影のために、ボクセル位置を考慮してフィルミングしようとすると、操作者は手動でフィルムに画像を配置しなければならない。このように、ボクセルの位置関係を考慮した読影や、配置位置を考慮したフィルミング操作は煩雑となる。
【０００７】
そこで本発明の目的は、読影者が直感的に形態画像上での位置配置を理解しやすいフィルムへの画像シリーズの配置を実現することと、操作者の負担軽減のため、形態画像上でのボクセル位置関係がそのままの形で、自動でフィルムへ画像シリーズの配置をすることが可能なMRI装置を提供することである。
【課題を解決するための手段】
【０００８】
被検体を収容する空間に均一な静磁場を発生させる静磁場発生手段と、前記静磁場へ重畳して傾斜磁場を発生させる傾斜磁場発生手段と、前記被検体へ照射する高周波磁場を発生する高周波コイルと、前記被検体から発生するNMR信号を検出する手段と、前記検出された信号を画像化する手段と、CSI撮像及び解析をするCSI撮像解析手段を備えた磁気共鳴イメージング装置であって、
前記CSI撮像解析手段によりCSI撮像解析された各ボクセルの画像シリーズについて、前記各ボクセルの画像シリーズが位置関係そのままの形でフィルムに出力されるように、フィルムミングする手段を備えたことを特徴とする磁気共鳴イメージング装置が提供される。
【０００９】
また、前記フィルミング手段によりフィルミングする際に、全ボクセルをフィルミングするために1枚のフィルムで不十分な場合には、フィルムを継ぎ足す手段を備えたことを特徴とする磁気共鳴イメージング装置が提供される。
【発明の効果】
【００１０】
本発明によれば、読影者が直感的に形態画像上での位置配置を理解しやすいフィルムへの画像シリーズの配置を実現することと、操作者の負担軽減のため、形態画像上でのボクセル位置関係がそのままの形で、自動でフィルムへ画像シリーズの配置をすることが可能なMRI装置を提供することができる。
【図面の簡単な説明】
【００１１】
【図１】本発明の実施形態のブロック図。
【図２】本発明のイメージ図。
【図３】実施例1のフローチャート。
【図４】画像データベースからフィルミングする画像シリーズを選択するイメージ図。
【図５】フィルムレイアウトを設定するイメージ図。
【図６】フィルムに画像配置を開始するイメージ図。
【図７】最初のフィルムに移動するイメージ図。
【図８】フィルムに画像を配置するイメージ図。
【図９】実施例2のフローチャート。
【図１０】ボクセル順にフィルムレイアウトを表示するイメージ図。
【図１１】フィルム追加かフィルムレイアウト変更かの選択画面イメージ図。
【図１２】実施例3のフローチャート。
【図１３】フィルミングしたい任意の領域を選択するイメージ図。
【図１４】実施例4のフローチャート
【図１５】フィルミングしたい任意の画像を選択するイメージ図。
【図１６】フィルムの配置位置関係が保たれるように配置するフィルム位置を移動するイメージ図。
【図１７】CSI解析の結果画像のイメージ図。
【図１８】2行3列の画像シリーズのイメージ図。
【図１９】レイアウトが3行2列のフィルムに図3の画像シリーズを配置した図。
【発明を実施するための形態】
【００１２】
以下、添付図面に従って本発明のMRI装置の好ましい実施形態について詳説する。なお、発明の実施形態を説明するための全図において、同一機能を有するものは同一符号を付け、その繰り返しの説明は省略する。
【００１３】
図1に本発明の実施形態のブロック図を示す。MRI操作卓101とフィルムイメージャ110を有するMRI装置で、MRI操作卓は、ディスプレイ102、表示画像作成部103、画像データベース104、CSI解析部105、画像送信部106より成る。
【００１４】
ディスプレイ102は表示画像作成部103と接続されている。ディスプレイ102は、表示画像作成部103により作成された画像を表示する。
【００１５】
表示画像作成部103は、ディスプレイ102、画像データベース104と接続されている。表示画像作成部103は、作成した画像をディスプレイ102で表示する制御を行ったり、画像データベース104に画像を保存する制御を行なう。
【００１６】
CSI解析部105は画像データベース104と接続されている。CSI解析部105は、画像データベース104より参照画像を選択し、CSI解析をする。また、CSI解析された結果画像を画像データベース104に保存する。
【００１７】
画像送信部106は、画像データベース104、フィルムイメージャ110と接続されている。フィルムとして出力したい画像を画像データベース104より選択し、画像送信部106により、フィルムイメージャ110に送る。
【実施例１】
【００１８】
次に実施例1を説明する。図2は、本発明のイメージ図である。  
本実施例は図2のようにCSI解析の結果画像をフィルミングする際、ボクセルの位置情報を保存することで、各ボクセル位置関係そのままの状態でフィルムに画像配置することを可能とする。画像シリーズをフィルムに出力する際、1ボクセルずつ手作業で挿入作業を行うのではなく、各フィルムの1行目から自動的に埋めていくことで、形態画像上でのボクセル位置関係を保持したまま、フィルムへの配置処理を行うことができる。より具体的に図2の例では、被検体のMRI画像上に6×6のボクセルを配置した例であり、右側のように、各ボクセルの位置関係を保持したまま、4枚のフィルムにフィルミングする例を示している。下記において、具体的に各ボクセルの位置関係を保持したまま、フィルミングするためのMRI装置や操作者の動作手順を図3のフローチャートを用いて示す。
【００１９】
(ステップ301)
本ステップでは、操作者は図1では図示しなかった制御部を介して図1におけるCSI解析部105に指示を出し、ボクセルごとに画像を持つ画像シリーズを生成する。より具体的に図2における左側で示した、6×6のボクセルそれぞれについて、形態画像上に表示することにより示した各ボクセル位置の参照画像、各ボクセルにおけるスペクトルグラフ、前記スペクトルのグラフより、各代謝物質成分を示したリストの3種類から成る画像シリーズを生成する。
【００２０】
(ステップ302)
本ステップでは、MRI装置は、生成した画像シリーズを各ボクセルの位置情報と伴に画像データベースに保存する。
【００２１】
(ステップ303)
図4は、画像データベースからフィルミングする画像シリーズを選択するイメージ図である。  
本ステップでは、操作者は、図4に示す表示画面を用いていくつかある画像シリーズの中から、任意のものを選択する。具体的には、図4の画面において、灰色で示した画像シリーズ(例えば、同一患者について、異なる時に得られた画像シリーズが上から順番に並べられて、そのうち時期的に古い順に3番目のもの)を選んで、それを選択する。
【００２２】
(ステップ304)
図5は、フィルムレイアウトを設定するイメージ図である。  
本ステップでは、操作者は、MRI操作卓101を介して、1枚のフィルムへ画像シリーズを配置するレイアウトを図5のような設定画面で設定する。より具体的には、図5の左側の図で示したフィルムレイアウト設定部において、1枚のフィルムへ入力する行と列を入力する。図5において右側の図は、1枚のフィルムに、4行3列のレイアウトで出力することを示している。
【００２３】
(ステップ305)
図6は、フィルムに画像配置を開始するイメージ図である。  
本ステップでは、操作者は、図6に示すようなGUI上の画面において、左上に示した画像配置開始ボタンを利用して、フィルムへの画像シリーズの配置を開始する。
【００２４】
(ステップ306)
本ステップで、MRI装置は、例えば左上から順次各ボクセルで得られた画像を配置していき、各ボクセルの行数、列数を(i,j)で割り当てた場合の(i,j)の数を一つずつ増やしていき、(i,j)の数が全ボクセルの行数、列数より多い場合に、ステップ307へ移行する。(i,j)の数が全ボクセルの行数、列数より少ない場合に、ステップ308へ移行する。
【００２５】
(ステップ307)
図7は、最初のフィルムに移動するイメージ図である。  
本ステップで、MRI装置は、(i,j)の数が全ボクセルの行数、列数より多い場合に、図7のように、最初(左上)のフィルムあるいは、左側、上側のフィルムへ、次にフィルミングする画像を移動する。
【００２６】
(ステップ308)
図8は、フィルムに画像を配置するイメージ図である。  
本ステップで、MRI装置は、図8のように、(i,j)で示されたボクセルの行数、列数の画像をフィルムに配置する。
【００２７】
(ステップ309)
本ステップで、MRI装置は、最後の画像かを確認する。最後の画像であればステップ311へ、最後の画像でなければ、ステップ310へ移動する。
【００２８】
(ステップ310)
本ステップで、MRI装置は、次の画像を読み込む。より具体的には、各ボクセルの行数、列数を(i,j)で割り当てた場合の(i,j)の数を一つずつ増やしていき、次の画像を読み込む。
【００２９】
(ステップ311)
本ステップで、MRI装置は、画像を配置したフィルムをボクセル順に表示する。  
上記実施例によれば、被検体を収容する空間に均一な静磁場を発生させる静磁場発生手段と、前記静磁場へ重畳して傾斜磁場を発生させる傾斜磁場発生手段と、前記被検体へ照射する高周波磁場を発生する高周波コイルと、前記被検体から発生するNMR信号を検出する手段と、前記検出された信号を画像化する手段と、CSI撮像及び解析をするCSI撮像解析手段を備えた磁気共鳴イメージング装置であって、
前記CSI撮像解析手段によりCSI撮像解析された各ボクセルの画像シリーズをそれらの位置関係を保有してフィルムに、フィルムミングするフィルミング手段を備えたことを特徴とする磁気共イメージング装置が提供される。
【００３０】
また、被検体を収容する空間に均一な静磁場を発生させる静磁場発生ステップと、前記静磁場へ重畳して傾斜磁場を発生させる傾斜磁場発生ステップと、前記被検体へ照射する高周波磁場を発生するステップと、前記被検体から発生するNMR信号を検出するステップと、前記検出された信号を画像化するステップと、CSI撮像及び解析をするステップを備えた磁気共鳴イメージング方法であって、
前記CSI撮像解析手段によりCSI撮像解析された各ボクセルの画像シリーズをそれらの位置関係を保有してフィルムに、フィルムミングするフィルミングステップを備えたことを特徴とする磁気共鳴イメージング方法が提供される。
【００３１】
上記実施例によれば、ボクセルの行数、列数がフィルムへのレイアウトより多い場合にも、複数枚のフィルムに、ボクセル間の位置関係を保存したままで、フィルミングを行なうことができる。
【実施例２】
【００３２】
次に、実施例2について、実施例1と異なる点は、画像配置を行う前にフィルム枚数、レイアウトを決定する点である。
【００３３】
実施例2の動作について図9のフローチャートを用いて説明する。
【００３４】
(ステップ901)
本ステップでは、操作者は図1では図示しなかった制御部を介して図1におけるCSI解析部105に指示を出し、ボクセルごとに画像を持つ画像シリーズを生成する。より具体的に図2における左側で示した、6×6のボクセルそれぞれについて、形態画像上に表示することにより示した各ボクセル位置の参照画像、各ボクセルにおけるスペクトルグラフ、前記スペクトルのグラフより、各代謝物質成分を示したリストの3種類から成る画像シリーズを生成する。
【００３５】
(ステップ902)
本ステップでは、MRI装置は、生成した画像シリーズを各ボクセルの位置情報と伴に画像データベースに保存する。
【００３６】
(ステップ903)
本ステップでは、操作者は、図4に示す表示画面を用いていくつかある画像シリーズの中から、任意のものを選択する。具体的には、図4の画面において、灰色で示した画像シリーズ(例えば、同一患者について、異なる時に得られた画像シリーズが上から順番に並べられて、そのうち時期的に古い順に3番目のもの)を選んで、それを選択する。
【００３７】
(ステップ904)
本ステップでは、操作者は、MRI操作卓101を介して、1枚のフィルムへ画像シリーズを配置するレイアウトを図5のような設定画面で設定する。より具体的には、図5の左側の図で示したフィルムレイアウト設定部において、1枚のフィルムへ入力する行と列を入力する。図5において右側の図は、1枚のフィルムに、4行3列のレイアウトで出力することを示している。
【００３８】
(ステップ905)
図10は、ボクセル順にフィルムレイアウトを表示するイメージ図である。  
本ステップでは、MRI装置は、図10に示すように、複数個のボクセルをフィルミングした場合のフィルミング予想結果を表示する。図10の例では、6×6のボクセルを、4×4のフィルムのレイアウトにフィルミングした場合のフィルミング予想結果を示している。図10に示すように、36個のボクセルが、4枚のフィルムに分割されてフィルミングされる例の予想結果が示されている。
【００３９】
(ステップ906)
本ステップでは、画像シリーズのボクセルの行または列数が、1枚のフィルムにステップ904においてレイアウトとして設定した行又は列数よりも少ないかを判定する。画像のボクセルの行又は列数がフィルムレイアウトの行又は列数よりも多い場合、ステップ907へ移行する。画像のボクセルの行又は列数がフィルムレイアウトの行又は列数よりも少ない場合、908へ移行する。
【００４０】
(ステップ907)
図11は、フィルム追加かフィルムレイアウト変更かの選択画面イメージ図である。  
本ステップでは、MRI装置は、画像のボクセルの行又は列数がフィルムレイアウトの行又は列数よりも多い場合に対応するため、フィルムを追加するかフィルムレイアウトを変更するかをユーザーに選択させるため、図11に示す選択画面を出力する。操作者は、図7で示した選択画面を用いて、フィルムを追加するかフィルムレイアウトを変更するかを選択する。
【００４１】
(ステップ908)
本ステップでは、ステップ907で選択された処理を行う。具体的には、GUI上の画面において、フィルムを追加するかフィルムレイアウトを変更するかを行う。
【００４２】
(ステップ909)
本ステップでは、操作者は、図6に示すようなGUI上の画面において、左上に示した画像配置開始ボタンを利用して、フィルムへの画像シリーズの配置を開始する。
【００４３】
(ステップ910)
本ステップで、MRI装置は、例えば左上から順次各ボクセルで得られた画像を配置していき、各ボクセルの行数、列数を(i,j)で割り当てた場合の(i,j)の数を一つずつ増やしていき、(i,j)の数が全ボクセルの行数、列数より多い場合、ステップ911へ移行する。
【００４４】
(ステップ911)
本ステップで、MRI装置は、(i,j)の数が全ボクセルの行数、列数より多い場合に、図7のように、最初(左上)のフィルムあるいは、左側、上側へ、次にフィルミングする画像を移動する。
【００４５】
(ステップ912)
本ステップで、MRI装置は、図8のように、(i,j)で示されたボクセルの行数、列数の画像をフィルムに配置する。
【００４６】
(ステップ913)
本ステップで、MRI装置は、最後の画像かを確認する。最後の画像であればステップ915へ、最後の画像でなければ、ステップ914へ移動する。
【００４７】
(ステップ914)
本ステップで、MRI装置は、次の画像を読み込む。より具体的には、各ボクセルの行数、列数を(i,j)で割り当てた場合の(i,j)の数を一つずつ増やしていき、次の画像を読み込む。
【００４８】
(ステップ915)
本ステップで、MRI装置は、画像を配置したフィルムをボクセル順に表示する。  
上記実施例によれば、前記フィルミング手段によりフィルミングする際に、全ボクセルをフィルミングするために1枚のフィルムで不十分な場合には、フィルムを継ぎ足す手段を備える。
【００４９】
また、前記フィルミングステップによりフィルミングする際に、全ボクセルをフィルミングするために1枚のフィルムで不十分な場合には、フィルムを継ぎ足す。
【００５０】
上記実施例によれば、実施例1の効果に加えて、ステップ905において、フィルミング予想結果が表示され、ボクセルの数が多くフィルムが足りない場合に、ステップ907及びステップ908において、フィルムを追加したり、フィルムレイアウトを変更したりして対応できるので、複数のボクセルがある場合に、ボクセルが余ることがなく、適切なフィルムのレイアウトが可能となる。
【実施例３】
【００５１】
次に、実施例3について、実施例1及び実施例2と異なる点は、形態配置した複数のボクセルより、任意領域を選択して、CSI解析の結果画像をボクセル順に表示することを可能とする点である。実施例3の動作について図12のフローチャートを用いて説明する。
【００５２】
実施例3では、実施例2の図9で示したフローチャートと対比して、ステップ903とステップ904の間にステップ903aが入っていること、その結果、906a、910aが変更されている点が異なる。以下のステップでは、実施例2の図10と異なるステップ903a、906a、910aのみ説明する。
【００５３】
(ステップ903a)
図13は、フィルミングしたい任意の領域を選択するイメージ図である。  
本ステップでは、フィルミングしたい任意の領域を図13のように選択する。  
上記実施例によれば、フィルミングしたい任意の領域を選択できるので、例えば脳の一部のみに疾患があるためにその部位のみフィルミングしたい場合等に、その部位を好適に拡大してフィルミングすることができる。
【００５４】
(ステップ906a)
本ステップでは、選択した領域の画像シリーズのボクセルの行または列数が、1枚のフィルムにステップ904においてレイアウトとして設定した行又は列数よりも少ないかを判定する。画像のボクセルの行又は列数がフィルムレイアウトの行又は列数よりも多い場合、ステップ907へ移行する。画像のボクセルの行又は列数がフィルムレイアウトの行又は列数よりも少ない場合、908へ移行する。
【００５５】
(ステップ910a)
本ステップで、MRI装置は、例えば左上から順次、選択した領域のボクセルで得られた画像を配置していき、各ボクセルの行数、列数を(i,j)で割り当てた場合の(i,j)の数を一つずつ増やしていき、(i,j)の数が選択した領域のボクセルの行数、列数より多い場合、ステップ911へ移行する。
【実施例４】
【００５６】
次に、実施例4について、実施例1及び実施例2、実施例3と異なる点は、選択した任意画像に対して、CSI解析の結果画像をボクセル順に対応した位置関係で表示することを可能とする点である。実施例3の動作について図14のフローチャートを用いて説明する。
【００５７】
本実施例は、実施例2の図9と対比して、903b、911a、911bが追加され、また、906b、910bが変更されており、異なる点のみ追加する。
【００５８】
(ステップ903ｂ)
操作者は、MRI操作卓101を介して、フィルミングしたい任意の画像を選択する。一部画像選択したものは、図15のようである。
【００５９】
(ステップ906b)
本ステップでは、選択した画像の画像シリーズのボクセルの行または列数が、1枚のフィルムにステップ904においてレイアウトとして設定した行又は列数よりも少ないかを判定する。画像のボクセルの行又は列数がフィルムレイアウトの行又は列数よりも多い場合、ステップ907へ移行する。画像のボクセルの行又は列数がフィルムレイアウトの行又は列数よりも少ない場合、908へ移行する。
【００６０】
(ステップ910b)
本ステップで、MRI装置は、例えば左上から順次、選択した画像のボクセルで得られた画像を配置していき、各ボクセルの行数、列数を(i,j)で割り当てた場合の(i,j)の数を一つずつ増やしていき、(i,j)の数が選択した画像のボクセルの行数、列数より多い場合、ステップ911へ移行する。
【００６１】
(ステップ911a)
ボクセルの位置情報と、フィルムの配置位置関係が一致するかを確認する。一致しなければ、ステップ911bへ、一致すれば、ステップ912へ移動する。
【００６２】
(ステップ911b)
ボクセルの位置情報と、フィルムの配置位置関係が一致していなければ、一致するように移動する。参照画像上での位置関係を、対応づけてフィルミングすると、その位置見解は図16で右側のようになる。
【００６３】
上記実施例によれば、マトリックス状に配置されたボクセルの画像シリーズから、いくつかの任意の画像を選びそれらのみをフィルミングする際にも、それらの位置関係を維持したまま、フィルミングすることができる。
【００６４】
以上、本発明の実施例を述べたが、本発明はこれらに限定されるものではない。
【符号の説明】
【００６５】
101  MRI操作卓、102  ディスプレイ、103  表示画像生成部、104  画像データベース、105  CSI解析部
【図１】
2011010805.tif 000003
【図２】
2011010805.tif 000004
【図３】
2011010805.tif 000005
【図４】
2011010805.tif 000006
【図５】
2011010805.tif 000007
【図６】
2011010805.tif 000008
【図７】
2011010805.tif 000009
【図８】
2011010805.tif 000010
【図９】
2011010805.tif 000011
【図１０】
2011010805.tif 000012
【図１１】
2011010805.tif 000013
【図１２】
2011010805.tif 000014
【図１３】
2011010805.tif 000015
【図１４】
2011010805.tif 000016
【図１５】
2011010805.tif 000017
【図１６】
2011010805.tif 000018
【図１７】
2011010805.tif 000019
【図１８】
2011010805.tif 000020
【図１９】
2011010805.tif 000021